(57)【要約】【課題】フロント部の両側にツルが折畳み出来るように取付けられているメガネであって、ツルが折畳まれた際の厚みが薄くて、携帯が便利な薄型メガネの提供。【解決手段】フロント部１の両側に取付けられているツル２，２は、折畳まれた際にフロント部１の上側に位置し、又フロント部１は３次元に湾曲することなく平坦面で形成されている。又、鼻当てパットの代わりに、両リム３，３を連結する連結部材４を山形に湾曲して鼻の甲に当てて支持する。【選択図】        図１
2004163486.tif 000002
【特許請求の範囲】
【請求項１】
フロント部の両側にツルが折畳み出来るように取付けられたメガネにおいて、上記ツルを折畳んだ場合にフロント部の上側に位置するようにしたことを特徴とする薄型メガネ。
【請求項２】
上記フロント部を３次元に湾曲することなく平坦面で形成し、ツルも同じく２次元形状とした請求項１記載の薄型メガネ。
【請求項３】
両リム、両ハーフリム、又は両レンズを連結する連結部材を山形として、鼻の甲に当ててフロント部を支持可能にした請求項１、又は請求項２記載の薄型メガネ。
【発明の詳細な説明】
【０００１】
【発明の属する技術分野】
本発明は顔から外して持ち歩く際に、邪魔にならないようにコンパクトに収納することが出来るようにした薄型メガネに関するものである。
【０００２】
【従来の技術】
メガネには色々な形態があり、又多種多様なデザイン・装飾が施されている。そして機能面では長時間にわたって着用していても疲れを感じることがないように、チタンなどの材質が使用されて軽くなっている。又、フロント部にリムを備えることなく、両レンズを連結部材で直接ネジ止めし、レンズ外側にはヨロイをネジ止めした縁なしメガネも多用されている。
【０００３】
図３は一般的なメガネを示しているが、該メガネはフロント部（イ）の両側にツル（ロ）、（ロ）を折畳み出来るように取付けている。そしてフロント部（イ）は両リム（ハ）、（ハ）を連結部材（ニ）にて連結すると共に、両リム（ハ）、（ハ）の外側にはヨロイ（ホ）、（ホ）がロウ付けされて構成し、該ヨロイ（ホ）、（ホ）に上記ツル（ロ）、（ロ）が蝶番（ヘ）、（ヘ）を介して折畳み可能に連結している。そしてリム（ハ）、（ハ）にはレンズ（ト）、（ト）が嵌っている。
【０００４】
図４はメガネを外してツル（ロ）、（ロ）が折畳まれた場合であり、両ツル（ロ）、（ロ）は互いに重なり合っている。そして同図から明らかなように、ツル（ロ）、（ロ）はフロント部（イ）の裏側に折畳まれ、その厚さ寸法Ｍは比較的大きくなる。近眼用のメガネであるならば常に着用しているが、老眼鏡は仕事をする場合、新聞雑誌を読む場合などに着用する為に、メガネケースに入れて常時持ち歩いている。
【０００５】
従って、出来るだけコンパクトであることが必要である。フロント部の縦横寸法は顔に掛ける関係上小さくするには限度があるが、折畳んだ状態の厚さ寸法Ｈを小さくすることで、収容するメガネケースは薄くなる。しかし、従来のメガネでは、フロント部両側に概略Ｌ型をしたヨロイ（ホ）、（ホ）が設けられ、該ヨロイ（ホ）、（ホ）に取付けられたツル（ロ）、（ロ）が該フロント部の裏側に重なり合うように折畳まれる為に、厚さの縮小には限度がある。
【０００６】
【発明が解決しようとする課題】
このように、従来のメガネには上記のごとき問題がある。本発明が解決しようとする課題はこの問題点であり、ツルを折畳んだ際の厚みが薄くなって、持ち運びが便利な薄型メガネを提供する。
【０００７】
【課題を解決する為の手段】
本発明に係る薄型メガネはフロント部の両側にツルを折畳み可能に取付けた形態であるが、該ツルはフロント部の裏側に重なり合うことなく、該フロント部の上側に折畳まれ、折畳まれたツルとフロント部は同一面に位置する。従って、フロント部の厚さ内に収まってメガネケースに収容される。その結果、胸ポケットにメガネケースを入れて持ち歩いても何ら支障はない。
【０００８】
そして、フロント部には従来の鼻当てパットに代えて、両リムの連結部材を山形として下側へ配置することで鼻の甲に当ててフロント部を支えることが出来る。又、フロント部は顔になじむように湾曲することもあるが、平坦面とすることでその厚さ寸法をより小さくすることが可能となる。以下、本発明に係る実施例を図面に基づいて詳細に説明する。
【０００９】
【実施例】
図１は本発明に係るメガネを表している実施例であり、フロント部１の両側にはツル２，２が折畳み出来るように取付けられている。フロント部１は両リム３，３が山形に湾曲した連結部材４にて連結され、リム外側にはブローチ５が設けられて、該ブローチ５のネジを弛めてリムの周長を拡大することでレンズの着脱を可能にしている。そして該ブローチ５には継手が形成されて、ツル２が折畳み出来るように連結している。ここで、ツル２を連結する為にリム外側にヨロイ部をロウ付けすることもある。ただし、このヨロイ部は従来のようなＬ形ではなく、小さなブロック片とし、厚さ寸法が拡大しないように構成しなくてはならない。
【００１０】
ところで、上記ブローチ５の構造、及び該ブローチ５に設けた具体的継手構造は限定しない。ツル２は継手から上方へ湾曲して立ち上がり、その後、後方へ真直ぐ延びている。ツルに対するフロント部１の傾きは従来のメガネに比較して大きいが、老眼鏡として新聞雑誌を読むにはむしろ適している。該メガネのフロント部１には鼻当てパットが備わっておらず、山形に湾曲した連結部材４が鼻の甲に当って支えられるために、フロント部１は比較的下側に位置して支持される。その為にも、フロント部１の傾きが大きい方が新聞雑誌を読み易くなる。
【００１１】
フロント部１の両側に取付けられているツル２，２が折畳まれるならば、同図に示すようにフロント部１の上側に位置する。すなわち、従来のメガネのように、フロント部の裏側に重なり合って折畳まれることはない。勿論、２本のツル２，２は互いに交差するが、フロント部１と折畳まれた２本のツル２，２は同一面に収まる。
【００１２】
すなわち、ツル２はフロント部１の継手６から上方へ湾曲して立ち上がる形状と成っている為に、該ツル２が折畳まれるならば、フロント部１の外側に沿ってなじむことが出来、該フロント部１と同一面に収まる。そして、フロント部１は湾曲せずに平坦である為に、ツル２，２も耳に掛かる先端部を除いてストレートに形成することで、該フロント部１と同一面となる。
【００１３】
図２はツル２，２が折畳まれたメガネを示している他の実施例であり、２本のツル２，２が互いに重なり合わないようにしている。すなわち、ツル２の中間部位には平坦部７が形成され、この平坦部７，７同士が互いに交差する。圧縮成形された平坦部７の厚さをツル太さの半分とするならば、２本のツル２，２が重なることなくツル２の太さ内に収まる。
【００１４】
ところで、上記実施例ではリムを備えたフロント部１としているが、リムをハーフリムとしてレンズ下側又は上側を水糸等の高張力糸にて保持したフロント部形態とすることが出来る。また、リムやハーフリムを用いることなく、両レンズを連結部材に直接ネジ止めし、レンズ外側には継手をネジ止めしてツルを連結する縁なしメガネとして構成することも可能である。
【００１５】
以上述べたように、本発明のメガネはツルを折畳んだ際に、該ツルがフロント部と重なり合うことなく同一面に収まるようにしたものであり、次のような効果を得ることが出来る。
【００１６】
【発明の効果】
本発明に係るメガネではツルを折畳んだ場合、フロント部と同一面に収まる為に折畳み状態の厚さが薄くなる。従って、メガネケースの厚さも薄くなって、胸ポケットに入れて持ち歩くことが出来、従来のメガネに比べてその携帯が便利である。特に、フロント部を３次元に湾曲させることなく平坦な形状とし、ツルも耳に掛ける先端部を除いてストレートとするならば、折畳み状態が非常に薄いメガネとなる。
【図面の簡単な説明】
【図１】本発明に係るメガネの実施例。
【図２】本発明に係るメガネの実施例。
【図３】従来のメガネ。
【図４】従来のメガネが折畳まれた場合。
【符号の説明】
１  フロント部
２  ツル
３  リム
４  連結部材
５  ブローチ
６  継手
７  平坦部
【図１】
2004163486.tif 000003
【図２】
2004163486.tif 000004
【図３】
2004163486.tif 000005
【図４】
2004163486.tif 000006